(57)【要約】【課題】カバーパネルに付着した水がパネル部材に流れる事態を抑制することが可能なパネルモジュールを提供する。【解決手段】鉛直方向に沿って延在する表面２３を有するＣＦ基板１６と、表面２３に形成された位置検出配線１９と、を備える液晶パネル１１と、液晶パネル１１を表面２３側から覆うカバーパネル１２と、液晶パネル１１に対して前記カバーパネルを貼り付ける貼付部材１３と、カバーパネル１２における液晶パネル１１側の面のうち、貼付部材１３の側端よりも外側に位置する領域Ａ１に設けられ、鉛直方向の下側に向かうにつれて貼付部材１３から遠ざかる側に水を誘導する撥水膜１４と、を備えることに特徴を有する。【選択図】図１
2019152817.tif 000002
【特許請求の範囲】
【請求項１】
水平方向と交差する方向に沿って延在する板面を有する基板と、前記板面に形成された導電部材と、を備えるパネル部材と、
前記パネル部材を前記板面側から覆うカバーパネルと、
前記パネル部材に対して前記カバーパネルを貼り付ける貼付部材と、
前記カバーパネルにおける前記パネル部材側の面のうち、前記貼付部材の側端よりも外側に位置する領域に設けられ、鉛直方向の下側に向かうにつれて前記貼付部材から遠ざかる側に水を誘導する水誘導部と、を備えるパネルモジュール。
【請求項２】
前記水誘導部は、鉛直方向の下側に向かうにつれて前記貼付部材から遠ざかる側に延びる撥水膜である請求項１に記載のパネルモジュール。
【請求項３】
前記水誘導部は、鉛直方向の下側に向かうにつれて前記貼付部材から遠ざかる側に延びる突起部である請求項１に記載のパネルモジュール。
【請求項４】
前記パネル部材は、
前記導電部材を覆う保護膜を備える請求項１から請求項３のいずれか１項に記載のパネルモジュール。
【請求項５】
前記パネル部材は、
前記基板と前記カバーパネルとの間に配された偏光板を備える液晶パネルである請求項１から請求項４のいずれか１項に記載のパネルモジュール。
【請求項６】
前記パネル部材は、位置入力体による入力位置を検出する複数の位置検出電極を備え、
前記導電部材は、前記位置検出電極に対して電気的に接続される位置検出配線とされ、
前記位置検出配線は、前記板面のうち、前記貼付部材の前記側端よりも外側に位置する領域に配されている請求項１から請求項５のいずれか１項に記載のパネルモジュール。
【発明の詳細な説明】
【技術分野】
【０００１】
本発明は、パネルモジュールに関する。
【背景技術】
【０００２】
従来、パネルモジュールとして、パネル部材（表示セル）と、パネル部材の表面を覆うカバーパネル（前面板）とを備えるものが知られている（下記特許文献１）。特許文献１では、パネル部材に対してカバーパネルが貼付部材によって貼り付けられている。
【先行技術文献】
【特許文献】
【０００３】
【特許文献１】特開２０１２−８３５９７号公報
【発明の概要】
【発明が解決しようとする課題】
【０００４】
上記特許文献１のようなカバーパネルを備える構成では、例えば結露などによってカバーパネルの裏面（パネル部材側の面）に水滴が発生し、その水滴が貼付部材を伝ってパネル部材に向かう事態が懸念される。これにより、パネル部材が備える配線などの導電部材に水滴が付着し、導電部材が腐食する事態が懸念される。一般的にパネル部材の導電部材は保護膜で覆われているが、カバーパネルの水がパネル部材に流れる事態を抑制することができれば、導電部材をより確実に保護することができるため、その対策が求められている。
【０００５】
本発明は上記のような事情に基づいて完成されたものであって、カバーパネルに付着した水がパネル部材に流れる事態を抑制することが可能なパネルモジュールを提供することを目的とする。
【課題を解決するための手段】
【０００６】
上記課題を解決するために、本発明のパネルモジュールは、水平方向と交差する方向に沿って延在する板面を有する基板と、前記板面に形成された導電部材と、を備えるパネル部材と、前記パネル部材を前記板面側から覆うカバーパネルと、前記パネル部材に対して前記カバーパネルを貼り付ける貼付部材と、前記カバーパネルにおける前記パネル部材側の面のうち、前記貼付部材の側端よりも外側に位置する領域に設けられ、鉛直方向の下側に向かうにつれて前記貼付部材から遠ざかる側に水を誘導する水誘導部と、を備えることに特徴を有する。カバーパネルにおけるパネル部材側の面に結露などによって水が付着すると、水はカバーパネルの面に沿って流下する過程で水誘導部によって貼付部材から遠ざかる側に誘導される。この結果、カバーパネルの水が貼付部材を介してパネル部材に流れる事態を抑制でき、パネル部材の導電部材が水によって腐食する事態を抑制することができる。
【発明の効果】
【０００７】
本発明によれば、カバーパネルに付着した水がパネル部材に流れる事態を抑制することが可能なパネルモジュールを提供することができる。
【図面の簡単な説明】
【０００８】
【図１】本発明の実施形態１に係る液晶表示装置を裏側から視た図
【図２】液晶表示装置の断面図（図１のＩＩ−ＩＩ線で切断した図に対応）
【図３】ＣＦ基板を示す正面図
【図４】カバーパネルを示す断面図（図１のＩＶ−ＩＶ線で切断した図に対応）
【図５】実施形態２に係るカバーパネルを示す断面図
【発明を実施するための形態】
【０００９】
＜実施形態１＞
本発明の実施形態１を図１から図４によって説明する。本実施形態では、パネルモジュールとして液晶表示装置１０について説明する。液晶表示装置１０は、図１及び図２に示すように、方形板状をなす液晶パネル１１（パネル部材）と、液晶パネル１１を覆う略台形状のカバーパネル１２と、液晶パネル１１に対してカバーパネル１２を貼り付ける貼付部材１３（図１では破線で図示）と、カバーパネル１２における液晶パネル１１側の面３２に設けられた複数の撥水膜１４（水誘導部）と、液晶パネル１１に表示のための照明光を照射するバックライト装置１５（図１では図示省略）と、を備える。なお、図１は、カバーパネル１２及び液晶パネル１１を裏側（表示面とは反対側）から視た図である。また、図２における上側が表側（表示面側）であり、下側が裏側である。なお、本実施形態の液晶表示装置１０は、例えばカーナビゲーションシステムなどに用いられるが、用途はこれに限定されない。
【００１０】
液晶パネル１１は、図２に示すように、ほぼ透明な一対の基板１６，１７と、基板１６上に形成された位置検出電極１８及び位置検出配線１９と、保護膜２０と、偏光板２１，２２と、を備える。一対の基板１６，１７は所定の間隔（セルギャップ）を隔てた状態で貼り合わせられており、基板１６，１７間には図示しない液晶層が介在されている。一対の基板１６，１７のうち、裏側に配されるアレイ基板１７（ＴＦＴ基板）は、ガラス基板上にソース配線、ゲート配線、スイッチング素子（例えばＴＦＴ）、画素電極、配向膜等（いずれも図示せず）の構造物が設けられることで構成されている。一対の基板１６，１７のうち、表側に配されるＣＦ基板１６（基板）は、Ｒ（赤色），Ｇ（緑色），Ｂ（青色）等の各着色部が所定配列で配置されたカラーフィルタ、隣り合う着色部の間を仕切る遮光部、対向電極、配向膜等の構造物（いずれも図示せず）を備える。また、偏光板２１，２２は、基板１６，１７の外面側にそれぞれ配されている。なお、ＣＦ基板１６側に貼り付けられた偏光板２１の表面が液晶パネル１１の表示面を構成している。
【００１１】
本実施形態の液晶表示装置１０は図１に示すように起立姿勢で配置される。このため、液晶表示装置１０が備えるカバーパネル１２、ＣＦ基板１６及びアレイ基板１７の各板面は、垂直方向（水平方向と交差する方向の一例）に沿って延在されている。略台形状をなすカバーパネル１２は、上辺に比して下辺が長くなるような姿勢で配されている。液晶パネル１１は、画像を表示する表示機能と、表示される画像に基づいて使用者が入力する位置（入力位置）を検出するタッチパネル機能（位置入力機能）と、を備える。タッチパネル機能を発揮するための位置検出電極１８及び位置検出配線１９（導電部材）は、図２に示すように、ＣＦ基板１６の表面２３（表示面側の面、板面）に形成されている。つまり、本実施形態のタッチパネルはオンセルタイプのものである。
【００１２】
位置検出電極１８は、図３に示すように、ＣＦ基板１６上にマトリクス状に並んで複数配されている。位置検出電極１８は、液晶パネル１１の表示領域Ａ２に配されている。なお、液晶パネル１１において表示領域Ａ２の外側は、液晶パネル１１における非表示領域Ａ３となっている。表示領域Ａ２は、図２に示すように、貼付部材１３の内側に対応する領域であり、非表示領域Ａ３は、貼付部材１３の外側に対応する領域となっている。液晶表示装置１０の使用者がカバーパネル１２越しに液晶パネル１１の表示面に導電体である指（図示せず、位置入力体）を近づけると、その指と位置検出電極１８との間で静電容量が形成されることになる。これにより、指の近くにある位置検出電極１８にて検出される静電容量には指が近づくのに伴って変化が生じ、指から遠くにある位置検出電極１８の静電容量とは異なるものとなるので、それに基づいて指による入力位置を検出することが可能となっている。
【００１３】
位置検出電極１８は、平面視において略菱形をなしている。複数の位置検出電極１８は、Ｙ軸方向についての入力位置を検出するための第１位置検出電極２４と、Ｘ軸方向についての入力位置を検出するための第２位置検出電極２５によって構成されている。複数の第１位置検出電極２４は、Ｘ軸方向に沿って直線的に並ぶと共に、Ｘ軸方向について隣り合う第１位置検出電極２４同士は電気的に接続されている。複数の第２位置検出電極２５は、Ｙ軸方向に沿って直線的に並ぶと共に、Ｙ軸方向について隣り合う第２位置検出電極２５同士は電気的に接続されている。
【００１４】
ＣＦ基板１６の表面２３には、位置検出電極１８とタッチパネル用のフレキシブル基板２６とを接続するための位置検出配線１９が形成されている。位置検出配線１９は、第１位置検出電極２４及び第２位置検出電極２５の各々に対して電気的に接続されている。フレキシブル基板２６は、その一端側がＣＦ基板１６に接続されるのに対し、他端側が液晶表示装置１０が備えるコントロール基板（図示せず）に接続されている。これにより、コントロール基板から供給される位置検出に係る信号等を位置検出配線１９を介して位置検出電極１８に伝送することが可能となっている。図３に示すように、位置検出配線１９は、ＣＦ基板１６の外周端部のうち、左右両側の側端部と下端部に亘って形成されている。つまり、複数の位置検出配線１９の一部は、図２に示すように、ＣＦ基板１６の表面２３のうち、貼付部材１３の側端２８よりも外側に位置する領域Ａ４に配されている。
【００１５】
保護膜２０（オーバーコート膜）は、図２に示すように、位置検出電極１８及び位置検出配線１９を覆う形で配されている。保護膜２０の材料としては、例えば、ポリイミド、アクリル樹脂、エポキシ樹脂などを用いることができるが、これに限定されない。例えば、保護膜２０として、窒化膜や酸化膜などの無機保護膜を用いてもよい。偏光板２１は、保護膜２０を覆う形で配されている。つまり、偏光板２１は、ＣＦ基板１６とカバーパネル１２との間に配されている。なお、偏光板２１の端面２７は、ＣＦ基板１６の端面２９よりも内側に配されている。貼付部材１３は、例えばＯＣＡ(Optical Clear Adhesive)フィルムなどの粘着層であり、その材料としては、紫外線が照射されると硬化が進行する紫外線硬化性樹脂材料（光硬化性樹脂材料）が用いられている。また、貼付部材１３の側端２８は、ＣＦ基板１６の端面２９よりも内側に配されている。
【００１６】
カバーパネル１２は、ほぼ透明で優れた透光性を有する材質（例えばガラス）によって構成されている。カバーパネル１２は、偏光板２１を覆う形で配され、貼付部材１３を介して偏光板２１に対して貼り付けられている。つまり、カバーパネル１２は、ＣＦ基板１６を表面２３側（図２の上側）から覆う構成とされる。図１に示すように、カバーパネル１２の両側の側端は、液晶パネル１１の両側の側端に対してそれぞれ外側に配されている。
【００１７】
カバーパネル１２は、液晶パネル１１を保護する機能を担っており、高さ及び幅が液晶パネル１１よりも大きい値で設定されている。このため、カバーパネル１２における液晶パネル１１側の面３２は、貼付部材１３の側端２８よりも外側に位置する領域Ａ１を有している。その領域Ａ１には、撥水膜１４が複数箇所に設けられている。また、カバーパネル１２における液晶パネル１１側の面３２のうち、貼付部材１３の周端よりも外側の領域には、図２に示すように遮光層３０が設けられている。この遮光層３０は、例えば、黒色を呈する塗料をカバーパネル１２に印刷することで形成されている。撥水膜１４は、図４に示すように、遮光層３０の表面にフッ素やシリコーン等、撥水性の高い材料を塗布することで形成されている。
【００１８】
撥水膜１４は、鉛直方向の下側に向かうにつれて貼付部材１３から遠ざかる側に延びる形状をなしており、上下方向に沿って複数並ぶ形で配されている。これにより、領域Ａ１においては、水は、撥水膜１４が形成されていない部分３１（隣り合う撥水膜１４の間の部分）に沿って流れることになる。つまり、撥水膜１４によって、鉛直方向の下側に向かうにつれて貼付部材１３から遠ざかる側に水が誘導される構成となっている。なお、撥水膜１４による水の流れを図１において矢線Ｌ１で示す。図１に示すように撥水膜１４は、カバーパネル１２の中央部を挟む左右両側の部分にそれぞれ設けられている。つまり、カバーパネル１２は、左右一対の領域Ａ１，Ａ１を有しており、図１における右側の領域Ａ１に配された撥水膜１４は、鉛直方向の下側に向かうにつれて右側に向かう形で延びており、図１における左側の領域Ａ１に配された撥水膜１４は、鉛直方向の下側に向かうにつれて左側に向かう形で延びている。
【００１９】
次に本実施形態の効果について説明する。本実施形態において、カバーパネル１２における液晶パネル１１側の面に結露などによって水（水滴）が付着すると、水はカバーパネル１２の面３２に沿って流下する過程で撥水膜１４によって貼付部材１３から遠ざかる側に誘導される。例えば、図１に示す右側の領域Ａ１では、撥水膜１４によって水滴が下方に向かうにつれて図１の右側に誘導される。この結果、カバーパネル１２の水が貼付部材１３を介して液晶パネル１１に流れる事態を抑制でき、液晶パネル１１の位置検出配線１９が水によって腐食する事態を抑制することができる。
【００２０】
また、鉛直方向の下側に向かうにつれて貼付部材１３から遠ざかる側に延びる撥水膜１４によって水誘導部が構成されている。撥水膜１４に沿って水が流れることで、鉛直方向の下側に向かうにつれて貼付部材１３から遠ざかる側に水を誘導することができる。
【００２１】
また、液晶パネル１１は、位置検出配線１９を覆う保護膜２０を備える。位置検出配線１９を保護膜２０で覆うことで水が位置検出配線１９に付着する事態をより確実に抑制することができる。
【００２２】
また、液晶パネル１１は、ＣＦ基板１６とカバーパネル１２との間に配された偏光板２１を備える。ＣＦ基板１６とカバーパネル１２との間に偏光板２１が配される構成において、仮にカバーパネル１２から液晶パネル１１側に水が流れた場合、その水が偏光板２１の端面２７を通って位置検出配線１９に達する事態が懸念される。この場合、偏光板２１の端面２７から染み出した偏光板２１を構成する成分（例えばヨウ素や酸など）が水に溶け、その成分が位置検出配線１９を腐食させる可能性がある。上記構成では、カバーパネル１２の水が貼付部材１３を介して液晶パネル１１に流れる事態を抑制できるため、偏光板２１の成分を含む水によって位置検出配線１９が腐食する事態を抑制することができる。
【００２３】
また、液晶パネル１１は、位置入力体による入力位置を検出する複数の位置検出電極１８と、位置検出電極１８に対して電気的に接続される位置検出配線１９とを備え、位置検出配線１９は、ＣＦ基板１６の表面２３のうち、貼付部材１３の側端２８よりも外側に位置する領域に配されている。カバーパネル１２の水が貼付部材１３を介して液晶パネル１１に流れる事態を抑制できるため、位置検出配線１９に水が付着する事態を抑制することができる。
【００２４】
図３に示すように、位置検出配線１９は、ＣＦ基板１６の外周端部のうち、左右両側の側端部と下端部に亘って形成されている。撥水膜１４は、カバーパネル１２の領域Ａ１で発生した水滴を貼付部材１３から遠ざかる側に誘導することができるため、ＣＦ基板１６の側端部に配された位置検出配線１９に水が付着する事態を効果的に抑制することができる。
【００２５】
また、本実施形態では、液晶パネル１１が方形状をなし、カバーパネル１２が台形状をなすことから、領域Ａ１が大きくなり易い。領域Ａ１が大きい程、結露によって水滴が発生し易くなる。本実施形態では、撥水膜１４によって水滴が液晶パネル１１に流れる事態を抑制できるため、好適である。
【００２６】
＜実施形態２＞
次に、本発明の実施形態２を図５によって説明する。上記実施形態と同一部分には、同一符号を付して重複する説明を省略する。本実施形態では、水誘導部として、撥水膜１４の代わりに突起部２１４が設けられている点が上記実施形態と相違する。突起部２１４は、カバーパネル１２における液晶パネル側の面３２の領域Ａ１に設けられ、遮光層３０の表面から液晶パネル側（図５の下側）突出する形状をなしている。突起部２１４も撥水膜１４と同様に鉛直方向の下側に向かうにつれて貼付部材１３から遠ざかる側に延びる形状となっている。このようにすれば、カバーパネル１２の領域Ａ１においては、突起部２１４の上面２１５（図５における右側の面）に沿って水が流れることで、鉛直方向の下側に向かうにつれて貼付部材１３（図５では図示せず）から遠ざかる側に水を誘導することができる。なお、このような突起部２１４は、例えば、合成樹脂製（例えばＰＥＴ等）のテープをカバーパネル１２の裏側（本実施形態では、遮光層３０の表面）に貼り付けることで形成することができる。なお、突起部２１４はテープに限定されず、カバーパネル１２と一体的に形成されていてもよい。
【００２７】
＜他の実施形態＞
本発明は上記記述及び図面によって説明した実施形態に限定されるものではなく、例えば次のような実施形態も本発明の技術的範囲に含まれる。
（１）上記実施形態では、導電部材を備えるパネル部材として液晶パネルを例示したが、これに限定されない。パネル部材は、表示機能を有していないものであってもよい。例えば、パネル部材として、液晶パネルとは別体のタッチパネル（アウトセルタイプのタッチパネル）などを例示することができる。
（２）上記実施形態では、基板としてＣＦ基板１６を例示したがこれに限定されない。基板としてアレイ基板１７を例示することができる。
（３）上記実施形態では、導電部材として、位置検出配線１９を例示したが、これに限定されない。導電部材として、例えば、液晶パネルの表示に係る信号を伝送するための配線を例示することができる。また、導電部材は配線に限定されず、例えば、電極や端子などの形態をなしていてもよい。
（４）上記実施形態では、ＣＦ基板１６、アレイ基板１７やカバーパネル１２の各板面が、垂直方向に沿って延在されている構成を例示したが、これに限定されない。ＣＦ基板１６、アレイ基板１７やカバーパネル１２の各板面は、水平方向と交差する方向であればよく、例えば、カバーパネル１２の裏面を水滴が流下する程度に当該裏面が傾斜されていてもよい。
【符号の説明】
【００２８】
１０…液晶表示装置（パネルモジュール）、１１…液晶パネル（パネル部材）、１２…カバーパネル、１３…貼付部材、１４…撥水膜（水誘導部）、１６…ＣＦ基板（基板）、１８…位置検出電極、１９…位置検出配線（導電部材）、２０…保護膜、２１…偏光板、２３…表面（基板の板面）、２８…貼付部材の側端、２１４…突起部（水誘導部）、Ａ１…領域（カバーパネルにおけるパネル部材側の面のうち、貼付部材の側端よりも外側に位置する領域）、Ａ４…領域（基板の板面のうち、貼付部材の側端よりも外側に位置する領域）
【図１】
2019152817.tif 000003
【図２】
2019152817.tif 000004
【図３】
2019152817.tif 000005
【図４】
2019152817.tif 000006
【図５】
2019152817.tif 000007